(57)【要約】【課題】映像・音声ソースの切り換え時における視聴者による音量調整を不要にした映像・音声選択装置を得る。【解決手段】音声信号選択部４は、ＣＰＵ１からの制御信号Ｓ１に基づき、音声信号ＡＳ１〜ＡＳ４から選択される選択音声信号ＡＳｊを出力する。音量レベル管理部３は音声信号ＡＳ１〜ＡＳ４それぞれの音声レベルの直近の平均値Ｖｔ１〜Ｖｔ４を測定し、新たな選択音声信号ＡＳｊへの変更時に、新たに選択される選択音声信号ＡＳｊ用のオフセット調整値ＯＦｊを出力する。オフセット調整部５は、新たな選択音声信号ＡＳｊへの変更時に、制御信号Ｓ１に基づき、オフセット調整値ＯＦｊを適用した基準音量調整処理を変更後の選択音声信号ＡＳｊに対して実行する。【選択図】図１
2015162836.tif 000002
【特許請求の範囲】
【請求項１】
複数の映像・音声ソースにおける複数の映像信号及び複数の音声信号から、選択映像信号及び選択音声信号を選択する映像・音声選択装置であって、
前記複数の映像・音声ソースのうち音声出力対象となる映像・音声ソースの映像信号及び音声信号を前記選択映像信号及び前記選択音声信号として指示する制御信号を出力する制御部と、
前記複数の映像信号を受け、前記制御信号に基づき、少なくとも前記選択映像信号を含む表示用映像信号を出力する表示映像生成部と、
前記複数の音声信号を受け、前記制御信号に基づき、前記選択音声信号を出力する音声信号選択部と、
前記複数の音声信号を受け、前記複数の音声信号の音声レベルを認識し、新たな前記選択音声信号への変更時に、変更前後における前記選択音声信号の音量レベル差に基づく基準音量調整処理を変更後の前記選択音声信号に対して実行する基準音量調整部と、
を備える映像・音声選択装置。
【請求項２】
請求項１記載の映像・音声選択装置であって、
前記複数の映像・音声ソースを受け、前記複数の映像信号及び前記複数の音声信号に分離生成する複数の映像・音声処理部をさらに備える、
映像・音声選択装置。
【請求項３】
請求項１または請求項２記載の映像・音声選択装置であって、
前記表示用映像信号は前記複数の映像信号を合成して得られる表示用合成映像信号を含む、
映像・音声選択装置。
【請求項４】
請求項１から請求項３のうち、いずれか１項に記載の映像・音声選択装置と、
前記表示用映像信号に基づく映像表示を行う表示部と、
前記選択音声信号に基づく音声出力を行う音声出力部と、
を備える映像表示装置。
【請求項５】
請求項４記載の映像表示装置であって、
前記複数の映像・音声ソースのうち少なくとも２つを供給する、少なくとも２つの映像・音声ソース供給部をさらに備える、
映像表示装置。
【発明の詳細な説明】
【技術分野】
【０００１】
この発明は、複数の映像・音声ソースのコンテンツを同時に１つの画面に表示するマルチ画面機能を有した表示装置等に利用され、視聴対象の映像・音声ソース（映像信号及び音声信号）を選択し、映像・音声ソースを切り換える時の音量を自動調整する映像・音声選択装置に関する。
【背景技術】
【０００２】
テレビに代表される映像表示装置の視聴ソース（映像・音声ソース）は、放送波、外部アナログ入力、外部デジタル入力、内蔵ハードディスク、ＤＩＳＣ等、多岐にわたる。マルチ画面機能ではこれら視聴ソースのコンテンツを組み合わせて同時に１つの画面に表示するため、各コンテンツの音声についても同時に再生可能な状態にある。
【０００３】
しかし、テレビの視聴者は複数の音声を同時に聞き分けることが難しいため、主として視聴する画面（以下、「メイン画面」と略記する場合有り）の音声のみが再生され、テレビの音量もメイン画面の音声に合わせて調整される。すなわち、音声出力対象となるメイン画面用の映像信号及び音声信号が選択映像信号及び選択音声信号として選択される。
【０００４】
このため、メイン画面とその他の画面（以下、「サブ画面」と略記する場合有り）との切り換え、もしくは画面構成はそのままに音声を出力する画面（以下、このような画面も「メイン画面」に含める）と音声を出力していない画面（以下、このような画面も「サブ画面」に含める）との切り換えが頻繁に行われる。このような切り換え時において、切り換え前後のメイン画面のコンテンツが有する音量レベルの差によっては、切り換え後に音量が小さくなったり、大きくなったりすることが想定され、メイン画面を切り換える毎に視聴者が音量調整を実施しなければならない可能性が比較的高い。
【０００５】
一方、特許文献１で開示された音量調整装置では、選択入力ごとの音量値を保有し、入力（選択音声信号）を変更するたびに音量値を調整している。しかし、上記音量値はあくまでも入力に関連付けられた音量値であり、時々刻々変化するコンテンツの音量レベルを考慮したものにはなっていない。すなわち、特許文献１で開示された音量調整装置における上記音量値は、過去の該当入力部における音量値に過ぎない。このため、例えばマルチ画面機能において画面を切り換えた時に、切り換えた画面の入力に合わせて上記音量値を適用しても適切な音量に調整できない可能性が少なからずある。
【先行技術文献】
【特許文献】
【０００６】
【特許文献１】特開平７−２２２０７８号公報
【発明の概要】
【発明が解決しようとする課題】
【０００７】
上述したように、マルチ画面機能を有するテレビ等の映像表示装置において、メイン画面を切り換えた時、メイン画面の切り換え前後のコンテンツの音量レベルの差が生じる可能性が高く、メイン画面の切り換え毎に視聴者は音量を調整しなければならないという問題点があった。
【０００８】
この発明は上記問題点を解決するためになされたもので、メイン画面となる映像・音声ソースの切り換え時における視聴者による音量調整を不要にした映像・音声選択装置を得ることを目的とする。
【課題を解決するための手段】
【０００９】
この発明に係る請求項１記載の映像・音声選択装置は、複数の映像・音声ソースにおける複数の映像信号及び複数の音声信号から、選択映像信号及び選択音声信号を選択する映像・音声選択装置であって、前記複数の映像・音声ソースのうち音声出力対象となる映像・音声ソースの映像信号及び音声信号を前記選択映像信号及び前記選択音声信号として指示する制御信号を出力する制御部と、前記複数の映像信号を受け、前記制御信号に基づき、少なくとも前記選択映像信号を含む表示用映像信号を出力する表示映像生成部と、前記複数の音声信号を受け、前記制御信号に基づき、前記選択音声信号を出力する音声信号選択部と、前記複数の音声信号を受け、前記複数の音声信号の音声レベルを認識し、新たな前記選択音声信号への変更時に、変更前後における前記選択音声信号の音量レベル差に基づく基準音量調整処理を変更後の前記選択音声信号に対して実行する基準音量調整部と、を備える。
【発明の効果】
【００１０】
請求項１記載の本願発明の映像・音声選択装置は、基準音量調整部における基準音量調整処理により、選択音声信号の基準となる音量レベルを変更前後において同一レベルになるように調整することができるため、映像・音声ソースの切り換え時に視聴者の音量調節を不要にして利便性を高めることができる効果を奏する。
【図面の簡単な説明】
【００１１】
【図１】この発明の実施の形態である音量調整装置を含む映像表示装置の構成を示すブロック図である。
【図２】図１で示した表示部の表示画面上におけるマルチ画面の表示例（その１）を示す説明図である。
【図３】図１で示した表示部の表示画面上におけるマルチ画面の表示例（その２）を示す説明図である。
【図４】図１で示した表示部の表示画面上におけるマルチ画面の表示例（その３）を示す説明図である。
【発明を実施するための形態】
【００１２】
＜実施の形態＞
図１はこの発明の実施の形態である音量調整装置（映像・音声選択装置）を含む映像表示装置の構成を示すブロック図である。
【００１３】
なお、図１では、テレビの視聴ソースである映像・音声ソースの供給部として、アンテナ１１、チューナ１２及び復調部１３によりなる放送波（による映像・音声信号）の供給部、外部アナログ入力部２１、外部デジタル入力部３１及び内蔵ＨＤＤ４１の４つを示している。図１で示した映像・音声ソースの供給部は、あくまでも一例であり、必ずしも図１で示した構成と一致する必要はない。また映像・音声ソースとして放送波の異なる番組を組み合わせてもよい。すなわち、チューナ１２及び復調部１３を複数設けて、複数の放送波の復調信号を供給するようにしても良い。ただし映像・音声ソースの数については、マルチ画面の構成が可能な２つ以上を前提とする。以下、図１を参照して、本実施の形態の映像表示装置について詳述する。
【００１４】
アンテナ１１で受信した放送波をチューナ１２で受け、復調部１３で映像と音声とを復調した復調信号を得る。そして、映像・音声処理部１４で復調信号を表示・再生可能な映像信号ＶＳ１及び音声信号ＡＳ１に分離生成して、映像信号ＶＳ１を映像合成処理部７５に出力し、音声信号ＡＳ１を音量レベル管理部３及び音声信号選択部４の入力端に出力する。
【００１５】
外部アナログ入力部２１より入力されるアナログの映像・音声ソースは、映像・音声処理部２４にて表示・再生可能な映像信号ＶＳ２及び音声信号ＡＳ２に分離生成され、映像信号ＶＳ２は映像合成処理部７５に、音声信号ＡＳ２は音量レベル管理部３及び音声信号選択部４の入力端に出力される。
【００１６】
外部デジタル入力部３１より入力されるデジタルの映像・音声ソースは、映像・音声処理部３４にて表示・再生可能な映像信号ＶＳ３及び音声信号ＡＳ３に分離生成され、映像信号ＶＳ３は映像合成処理部７５に、音声信号ＡＳ３は音量レベル管理部３及び音声信号選択部４の入力端に出力される。
【００１７】
内蔵ＨＤＤ４１に格納された映像・音声ソースは、映像・音声処理部４４にて表示・再生可能な映像信号ＶＳ４及び音声信号ＡＳ４に分離生成され、映像信号ＶＳ４は映像合成処理部７５に、音声信号ＡＳ４は音量レベル管理部３及び音声信号選択部４の入力端に出力される。
【００１８】
表示映像生成部である映像合成処理部７５は、マルチ画面を構成すべく、映像信号ＶＳ１〜ＶＳ４を合成した表示用合成映像信号を得ることができる。映像合成処理部７５は、マルチ画面機能が無効で、かつ視聴ソース（映像・音声ソース）の選択が、例えば放送波の場合、放送波に対応する映像信号ＶＳ１（＝選択映像信号ＶＳｊ）のみを表示用合成映像信号として後段の画質調整部７６に出力する。一方、マルチ画面機能が有効な場合、映像合成処理部７５は、設定に応じたマルチ画面を構成すべく映像信号ＶＳ１〜ＶＳ４（複数の映像信号）を合成して得られる表示用合成映像信号を後段の画質調整部７６に出力する。画質調整部７６は、画質に関わる調整処理を表示用合成映像信号に適用した後、表示部７７に出力する。表示部７７は画質調整部７６より得た表示用合成映像信号に基づく映像を表示画面上に表示する。
【００１９】
上記映像表示装置内において、映像・音声選択装置である音量調整装置２は、ＣＰＵ１、映像・音声処理部１４，２４，３４，４４、音量レベル管理部３、音声信号選択部４、オフセット調整部５、音質調整部６、音量調整部７、映像合成処理部７５及び画質調整部７６から構成され、音量レベル管理部３、音声信号選択部４及びオフセット調整部５を主要構成部とている。
【００２０】
音量レベル管理部３は音声信号ＡＳ１〜ＡＳ４を受け、音声信号ＡＳ１〜ＡＳ４それぞれの音声レベルの直近の平均値Ｖｔ１〜Ｖｔ４を測定して、制御信号Ｓ１に基づき、選択音声信号ＡＳｊの切り換え時に新たに選択される選択音声信号ＡＳｊ用のオフセット調整値ＯＦｊをオフセット調整部５に出力する。
【００２１】
音声信号選択部４は４つの入力端に音声信号ＡＳ１〜ＡＳ４を受け、制御信号Ｓ１に基づき、音声信号ＡＳ１〜ＡＳ４から選択される選択音声信号ＡＳｊを出力端から出力する。
【００２２】
オフセット調整部５は、新たな選択音声信号ＡＳｊへの変更時に、制御信号Ｓ１に基づき、音量レベル管理部３から受けるオフセット調整値ＯＦｊを適用した基準音量調整処理を変更後の選択音声信号ＡＳｊに対して実行する。そして、基準音量調整処理が施された選択音声信号ＡＳｊが後段の音質調整部６に出力される。
【００２３】
図１において、画質調整部７６を映像合成処理部７５の後段に配置しているが、必ずしもこの配置でなくてもよい。具体的には各視聴ソースに対して個別に画質調整を実施する場合も想定されるため、画質調整部７６は、映像・音声処理部１４と映像合成処理部７５の間に配置してもよい。同様に他の視聴ソース（２１，３１，４１）においても個別に画質調整部７６と同等の画質処理装置を映像・音声処理部２４（３４，４４）と映像合成処理部７５との間に配置してもよい。すなわち、映像・音声処理部１４，２４，３４，４４と映像合成処理部７５との間に４つの画質調整部７６に相当する構成を配置しても良い。また、表示部７７は、液晶に代表されるテレビに使用される表示装置全般を指す。
【００２４】
マルチ画面機能が無効で視聴ソースの選択が放送波の場合、もしくはマルチ画面機能が有効でメイン画面が放送波の場合、選択音声信号ＡＳｊは次の経路で再生される。映像・音声処理部１４から出力された音声信号ＡＳ１は、前述したように音声信号選択部４の入力端に入力される。
【００２５】
音声信号選択部４は、全ての視聴ソースの音声信号ＡＳ１〜ＡＳ４を受け、制御信号Ｓ１に基づき、音声出力対象となり再生する音声である選択音声信号ＡＳｊとして音声信号ＡＳ１を選択する。すなわち、音声信号選択部４は制御信号Ｓ１に基づき、放送波のパス上で伝搬される音声信号ＡＳ１を選択音声信号ＡＳｊとして選択し、その出力端から選択音声信号ＡＳｊを後段のオフセット調整部５に出力する。
【００２６】
オフセット調整部５は、各視聴ソースのコンテンツの音量差を考慮した調整値である、音声信号選択部４より得られるオフセット調整値ＯＦｊを適用して、選択音声信号ＡＳｊに対し基準音量調整処理を実行する。
【００２７】
オフセット調整部５の出力、すなわち、基準音量調整処理が施された選択音声信号ＡＳｊは、音質調整部６で周波数特性など、音質に関わる調整が適用され、後段の音量調整部７に出力される。音量調整部７は、視聴者が設定した音量値に対するゲインを設定する。音量調整部７でゲインを適用した選択音声信号ＡＳｊは、スピーカ駆動部８に入力され、最終的にはスピーカ駆動部８によって駆動されるスピーカ９から選択音声信号ＡＳｊに基づく音声が出力される。
【００２８】
上記した動作は、主に放送波の映像と音声を表示、再生する場合を記載したが、これら動作は、制御部であるＣＰＵ１が制御信号Ｓ１を少なくとも映像合成処理部７５、音量レベル管理部３、音声信号選択部４及びオフセット調整部５に出力することにより実現する。なお、制御信号Ｓ１には、音声出力対象となる選択映像信号ＶＳｊ及び選択音声信号ＡＳｊ並びにマルチ画面の有無及びマルチ画面の構成等を指示する。
【００２９】
また、ＣＰＵ１は、視聴者からのリモコン等を用いた操作を受けた後、その操作に対応した制御を実施したり、視聴者設定の管理を実施したり、テレビが動作するために必要な各種制御、情報管理を行う。
【００３０】
次に、マルチ画面機能が有効で、かつ図１に示した４つの視聴ソースが全て画面に表示される場合について説明する。マルチ画面機能が有効な場合、前述した放送波に加え、外部アナログ入力部２１、外部デジタル入力部３１、内蔵ＨＤＤ４１に対応した映像・音声処理部２４、映像・音声処理部３４、及び映像・音声処理部４４が有効となり、これら処理部２４，３４，４４から表示・再生可能な映像信号ＶＳ２〜ＶＳ４及び音声信号ＡＳ２〜ＡＳ４が分離生成される。
【００３１】
図２〜図４は表示部７７の表示画面５０上におけるマルチ画面の表示例（その１）〜（その３）をそれぞれ示す説明図である。
【００３２】
ここで、制御部であるＣＰＵ１は、マルチ画面機能が有効で、４つの視聴ソースを同時に１つの画面に表示すること、およびメイン画面を放送波とすることを指示する制御信号Ｓ１を映像合成処理部７５に付与している場合を想定する。制御信号Ｓ１を受けた映像合成処理部７５は、図２に示すように４つの視聴ソースを１つの画面で表示可能なマルチ画面を構成する表示用合成映像信号を出力し、この表示用合成映像信号が画質調整部７６を経て、表示部７７の表示画面５０上に表示される。なお、図２において、表示画面５０はメイン画面表示領域５１とサブ画面表示領域５２とに分けられ、表示画面５０の２／３程度を占めるメイン画面表示領域５１に放送波画面６１のみが表示され、表示画面５０の１／３程度を占めるサブ画面表示領域５２に外部アナログ入力画面６２、外部デジタル入力画面６３及び内蔵ＨＤＤ画面６４が図中縦方向に連続する態様で表示される。
【００３３】
このように、図２は、音声出力対象となる放送波画面６１をメイン画面とし、４つの視聴ソースをマルチ画面として表示する一例を示したものであり、すなわち、メイン画面が放送波画面６１となり、サブ画面が外部アナログ入力画面６２、外部デジタル入力画面６３及び内蔵ＨＤＤ画面６４となる。
【００３４】
また４つの視聴ソースの表示方法は、別の表示方法、例えば、図３に示すように、１つの表示画面５０を均等に４分割して表示する方法であってもよい。すなわち、表示画面５０上に均等に４分割されて、映像信号ＶＳ１〜ＶＳ４を反映した放送波画面６１、外部アナログ入力画面６２、外部デジタル入力画面６３及び内蔵ＨＤＤ画面６４が表示されても良い。このとき、画面６１〜６４のうち音声出力対象となるいずれか１つがメイン画面となり、残りの３つがサブ画面となる。
【００３５】
メイン画面が放送波である場合、音声信号選択部４は、放送波における音声信号ＡＳ１を音声出力対象となる選択音声信号ＡＳｊとして選択する。メイン画面を切り換える前の状態のため、オフセット調整部５のオフセット調整値は“０”（ｄＢ）、つまり音声信号選択部４の出力をそのまま音質調整部６に入力する。このように、まず、オフセット調整部５はオフセット調整値“０”（ｄＢ）の基準音量調整処理を最初の選択音声信号ＡＳｊ（＝映像信号ＶＳ１）に対して行う。
【００３６】
その後、音量調整部７、スピーカ駆動部８を経て、スピーカ９から選択音声信号ＡＳｊ（放送波の映像信号ＶＳ１）に基づく音声が出力される。
【００３７】
ここで、音量レベル管理部３は、マルチ画面機能が有効で、４つの視聴ソースを同時に１つの画面に表示すること、およびメイン画面を放送波とすることの通知を制御信号Ｓ１によってＣＰＵ１から受けた後、４つの視聴ソースのコンテンツの音量レベルの測定を実施する。また、メイン画面と各サブ画面の音量レベルから各サブ画面のオフセット調整値ＯＦ１〜ＯＦ４の算出を併せて行う。
【００３８】
音量レベルの測定方法は、ある一定期間ｔの音量レベルの平均値Ｖｔを測定音量レベルとし、この平均値Ｖｔに基づきオフセット調整値ＯＦ１〜ＯＦ４を算出する。また平均値Ｖｔは、現在時刻から最も近い時刻で測定したものを用いる。例えば、平均値Ｖｔの値が以下に示すように測定されたとする。ここで、映像信号ＶＳ１〜ＶＳ４に対応する平均値Ｖｔを平均値Ｖｔ１〜Ｖｔ４とする。
【００３９】
・ メイン画面：Ｖｔ１＝−２４ｄＢ
・ サブ画面  ：Ｖｔ２＝−３４ｄＢ
・ サブ画面  ：Ｖｔ３＝−１９ｄＢ
・ サブ画面  ：Ｖｔ４＝−２２ｄＢ
【００４０】
上述した平均値Ｖｔ１〜Ｖｔ４に基づき、オフセット調整部５が現在、適用しているオフセット調整値ＯＦｊを加味して各サブ画面のオフセット調整値ＯＦｉ（ｉは、１〜４のうち非選択の音声信号ＡＳｉに対応）を算出する。具体的には、以下の式(1)を適用してオフセット調整値ＯＦｉを算出する。ここで、メイン画面の音量レベル（平均値）をＶｔｊ、メイン画面のオフセット調整値をＯＦｊ、各サブ画面の音量レベル（平均値）をＶｔｉとすると、各サブ画面のオフセット調整値ＯＦｉは、以下の式(1)で求められる。
【００４１】
ＯＦｉ＝（Ｖｔｊ＋ＯＦｊ）−Ｖｔｉ…(1)
【００４２】
例えば、前述したように、音声信号ＡＳ１が選択音声信号ＡＳｊである場合、現在、オフセット調整部５が採用しているオフセット調整値ＯＦｊは“０”（ｄＢ）であることから、メイン画面に対する各サブ画面のオフセット調整値ＯＦ２〜ＯＦ４（音声信号ＡＳ２〜ＡＳ４に対応）は上記式(1)を適用した以下の式(2)〜式(4)に示すように求められる。
【００４３】
ＯＦ２＝（−２４＋０）−（−３４）＝＋１０（ｄＢ）…(2)
ＯＦ３＝（−２４＋０）−（−１９）＝−５（ｄＢ）…(3)
ＯＦ４＝（−２４＋０）−（−２２）＝−２（ｄＢ）…(4)
【００４４】
上述した式(2)〜式(4)によって、各サブ画面が新たなメイン画面となった後でも基準となる音量レベルはマルチ画面に移行する前、もしくはマルチ画面の最初のメイン画面のコンテンツと同等のレベルに設定するためのオフセット調整値ＯＦ２〜ＯＦ４が算出される。
【００４５】
上述した例では、音量レベル管理部３での音量レベルの測定方法として音量レベルの平均値Ｖｔ１〜Ｖｔ４を算出する例を示したが、あくまでも一例であり、音量レベルを特定可能であれば、例えば、単純移動平均や加重移動平均など、その他の方法を適用して音量レベルを測定してもよい。つまり、本発明の特徴は、音量レベルを測定する方法にはなく、測定した結果（音調レベル）をどのように扱い基準音量調整処理を行うかを着目したものである。
【００４６】
次に、視聴者の操作によって、メイン画面を放送波（映像信号ＶＳ１，音声信号ＡＳ１）から外部アナログ入力部２１（映像信号ＶＳ２，音声信号ＡＳ２）に切り換えた場合を想定する。この操作を受けて、制御部であるＣＰＵ１は、制御信号Ｓ１によって映像合成処理部７５にマルチ画面の構成変更を通知し、この通知を受けた映像合成処理部７５は、マルチ画面の構成を図２から図４のように変更する。
【００４７】
すなわち、図４に示すように、表示画面５０はメイン画面表示領域５１とサブ画面表示領域５２とに分けられ、メイン画面表示領域５１に選択映像信号ＶＳｊ（映像信号ＶＳ２）を反映した外部アナログ入力画面６２が表示され、サブ画面表示領域５２に放送波画面６１、外部デジタル入力画面６３及び内蔵ＨＤＤ画面６４が図中縦方向に連続する態様で表示される。
【００４８】
さらに、ＣＰＵ１は、音声パスを外部アナログ入力（音声信号ＡＳ２）に変更することを指示する制御信号Ｓ１を音声信号選択部４に出力する。音声信号選択部４は、制御信号Ｓ１に従い、音声パスを外部アナログ入力に変更する、すなわち、選択音声信号ＡＳｊとして音声信号ＡＳ２を選択する。
【００４９】
ＣＰＵ１は、さらに、音声パスが放送波から外部アナログ入力に変更されたことを指示する制御信号Ｓ１を音量レベル管理部３に出力することにより通知し、音量レベル管理部３は、制御信号Ｓ１による通知に従い、式(2)で求めた放送波に対する外部アナログ入力のオフセット調整値ＯＦ２を新たなメイン画面のオフセット調整値ＯＦｊとしてオフセット調整部５に出力する。
【００５０】
例えば、切り換え操作の直前の各音量レベルが前述した平均値Ｖｔ２〜Ｖｔ４であった場合、音量レベル管理部３は、内部で保有している外部アナログ入力用の「オフセット調整値ＯＦ２＝＋１０ｄＢ」をオフセット調整値ＯＦｊとしてオフセット調整部５に出力する。
【００５１】
その結果、オフセット調整部５は、音声信号選択部４から出力された選択音声信号ＡＳｊ（音声信号ＡＳ２）に対し、＋１０ｄＢのオフセット調整値ＯＦｊ（＝ＯＦ２）を用いた基準音量調整処理を実行し、音量レベルを−２４ｄＢ、すなわち、変更前の選択音声信号ＡＳｊであった音声信号ＡＳ１の平均値Ｖｔ１に等しい音量レベルに調整する。
【００５２】
このように、放送波から外部アナログ入力部２１への切り換え直後においても、切り換え前の放送波と同等の音量レベルとなることから、音声信号ＡＳ１から音声信号ＡＳ２への選択音声信号ＡＳｊの切り換え時に、視聴者はテレビの音量調整を実施せずとも切り換え後の外部アナログ入力（映像信号ＶＳ２，音声信号ＡＳ２）に基づく映像及び音声を視聴し続けることが可能となる。
【００５３】
また、選択音声信号ＡＳｊを音声信号ＡＳ１から音声信号ＡＳ２に切り換えた後は、各サブ画面は、メイン画面のオフセット調整値ＯＦｊ（＝ＯＦ２）を「＋１０ｄＢ」とし、メイン画面の音量レベル平均値Ｖｔｊを平均値Ｖｔ２として、上述した式(1)を適用して、各サブ画面のオフセット調整値ＯＦｉ（ｉ＝１，３，４のいずれか）が音量レベル管理部３により算出される。
【００５４】
以上の通り、本実施の形態の音量調整装置は、映像表示装置のマルチ画面機能において、表示部７７の表示画面５０上に表示されている全てのコンテンツの音量レベル（平均値Ｖｔ１〜Ｖｔ４）を常時、音量レベル管理部３にて測定し、かつ各コンテンツの音量レベルの差から算出したオフセット調整値ＯＦｉを算出している。そして、選択音声信号ＡＳｊの切り換え時に選択音声信号ＡＳｊに対応するオフセット調整値ＯＦｊをオフセット調整部５に出力する。
【００５５】
その結果、オフセット調整部５はオフセット調整値ＯＦｊを適用して選択音声信号ＡＳｊに対する基準音量調整処理を実行することにより、メイン画面の切り換え時に発生する音量変動を効果的に軽減させ、視聴者の利便性を向上させることが可能となる効果を奏する。
【００５６】
上述したように、本実施の形態の映像・音声選択装置である音量調整装置２は、音量レベル管理部３及びオフセット調整部５からなる基準音量調整部を有しており、オフセット調整部５は、音声信号選択部４から得られるオフセット調整値ＯＦｊを適用した基準音量調整処理を実行することができる。
【００５７】
その結果、本実施の形態の音量調整装置２は、選択音声信号ＡＳｊの基準となる音量レベルが変更前後において常に同一レベルになるように音量調整を行うことができるため、映像・音声ソース（放送波，外部アナログ入力部２１，外部デジタル入力部３１，内蔵ＨＤＤ４１）の切り換え時に視聴者の音量調節を不要にして利便性を高めることができる。
【００５８】
さらに、音量調整装置２として、映像・音声処理部１４，２４，３４，４４を備えることにより、装置内部において複数の映像・音声ソースそれぞれから映像信号ＶＳ１〜ＶＳ４及び音声信号ＡＳ１〜ＡＳ４を分離生成し、映像信号ＶＳ１〜ＶＳ４を映像合成処理部７５に、音声信号ＡＳ１〜ＡＳ４を音量レベル管理部３及び音声信号選択部４に出力することができる。
【００５９】
加えて、表示映像生成部である映像合成処理部７５は表示用映像信号として映像信号ＶＳ１〜ＶＳ４（複数の映像信号）を合成することにより、表示部７７の表示画面５０画面上にマルチ画面表示が行うことができる。
【００６０】
さらに、実施の形態の音量調整装置を含む、図１で示した構成の映像表示装置は、オフセット調整部５による基準音量調整処理により、映像・音声ソースの切り換え時に視聴者の音量調節を不要にして利便性を高めながら、表示部７７による表示用映像信号に基づくマルチ映像表示、及び音声出力部であるスピーカ９による選択音声信号ＡＳｊに基づく音声出力を行うことができる。
【００６１】
さらに、本実施の形態の映像表示装置は映像・音声ソースを供給する映像・音声ソース供給部であるチューナ１２及び復調部１３並びに内蔵ＨＤＤ４１（少なくとも２つの映像・音声ソース供給部）を内蔵することにより、外部アナログ入力部２１，外部デジタル入力部３１等の外部入力が無くとも、表示部７７の表示画面５０上にマルチ映像表示を行うことができる。
【００６２】
＜その他＞
本実施の形態では、音量レベル管理部３及びオフセット調整部５から構成される基準音量調整部において、音量レベル管理部３がオフセット調整値ＯＦｊを算出する構成を示した。この構成に限定されず、音量レベル管理部３は音声信号ＡＳ１〜ＡＳ４の音声レベルの平均値Ｖｔ１〜Ｖｔ４を算出するに留め、オフセット調整部５が平均値Ｖｔ１〜Ｖｔ４とメイン画面のオフセット調整値ＯＦｊに基づき、式(1)を用いてサブ画面のオフセット調整値ＯＦｉを算出しつつ、選択音声信号ＡＳｊの切り換え時にオフセット調整値ＯＦｊを決定するように構成しても良い。
【００６３】
すなわち、音声信号ＡＳ１〜ＡＳ４（複数の音声信号）を受け、音声信号ＡＳ１〜ＡＳ４の音声レベル（Ｖｔ１〜Ｖｔ４）を認識し、新たな選択音声信号ＡＳｊへの変更時に、変更前の選択音声信号ＡＳｊと変更後の選択音声信号ＡＳｊとの音量レベル差に基づく基準音量調整処理を変更後の選択音声信号ＡＳｊに対して実行できるように、音量レベル管理部３及びオフセット調整部５を基準音量調整部として構成できれば良い。
【００６４】
なお、本実施の形態では、マルチ画面表示機能を有する映像表示装置を前提にして説明したが、複数の映像・音声ソースを入力し、複数の音声信号を常に取り込む構成（各コンテンツの音声についても同時に再生可能な構成）を採用している場合、シングル画面表示専用の映像表示装置に対しても、本実施の形態の音量調整装置を用いることができる。
【００６５】
また、ＣＰＵ１、音量レベル管理部３、音声信号選択部４、オフセット調整部５、音質調整部６、音量調整部７、映像・音声処理部１４，２４，３４，４４、映像合成処理部７５、及び画質調整部７６は、各構成の機能の少なくとも一部をソフトウェアに基づくＣＰＵを用いたプログラム処理によって実行しても良い。
【００６６】
なお、本発明は、その発明の範囲内において、実施の形態を適宜、変形、省略することが可能である。
【符号の説明】
【００６７】
１  ＣＰＵ、３  音量レベル管理部、４  音声信号選択部、５  オフセット調整部、６  音質調整部、７  音量調整部、８  スピーカ駆動部、９  スピーカ、１１  アンテナ、１２  チューナ、１３  復調部、１４，２４，３４，４４  映像・音声処理部、７５  映像合成処理部、７６  画質調整部、７７  表示部。
【図１】
2015162836.tif 000003
【図２】
2015162836.tif 000004
【図３】
2015162836.tif 000005
【図４】
2015162836.tif 000006